(57)【要約】      （修正有）【課題】比較的安価で、簡便な手法を用いながら、機械読取用の情報コードを有する偽造防止媒体に対し、安全な偽造防止機能を付与しようとするものである。【解決手段】基材１１上に、遮光層１２と、白色インキ層１４と、前記遮光層１２と白色インキ１４の間にパターン状の赤外線反射層１３とを設け、前記白色インキ層１４上に情報コード部１５と隠蔽層１６とが設けられてなることを特徴とする偽造防止媒体１であり、２つの異なる波長帯の光を用いて、真正品の確認を行うと共に、情報コードの読取を実施する。【選択図】図１
2018126901.tif 000002
【特許請求の範囲】
【請求項１】
基材上に情報コードを有する偽造防止媒体であって、
前記基材が少なくとも、遮光層と、白色インキ層と、
前記遮光層と白色インキ層との層間に、パターン状の赤外線反射層と、を有し、
前記白色インキ層上に、情報コード部と、隠蔽層と、が設けられていることを特徴とする偽造防止媒体。
【請求項２】
前記遮光層と、前記情報コード部とが、赤外線を吸収する色素を含むことを特徴とする請求項１に記載の偽造防止媒体。
【請求項３】
前記隠蔽層が、少なくとも赤外線透過性を有することを特徴とする請求項１または請求項２に記載の偽造防止媒体。
【請求項４】
前記白色インキ層が、少なくとも赤外線領域において、半透明性を有することを特徴とする請求項１から請求項３のいずれかに記載の偽造防止媒体。
【請求項５】
少なくとも前記遮光層に含まれる前記色素がカーボンブラックを含むことを特徴とする請求項２から請求項４のいずれかに記載の偽造防止媒体。
【請求項６】
前記白色インキ層が、酸化チタンを含むことを特徴とする請求項１から請求項５のいずれかに記載の偽造防止媒体。
【請求項７】
基材が少なくとも、遮光層と、白色インキ層と、
前記遮光層と白色インキ層との層間に、パターン状の赤外線反射層と、を有し、
前記白色インキ層上に、情報コード部と、隠蔽層と、が設けられてなる偽造防止媒体の読取方法であって、
前記偽造防止媒体に対し、第１波長帯の光を照射する工程と、
前記第１波長帯と異なり、且つ赤外線領域である第２波長帯の光を前記偽造防止媒体に対し照射する工程と、
前記第１波長帯の光の反射輝度と、前記第２の波長帯の光の反射輝度と、をそれぞれ測定する工程と、
前記偽造防止媒体に照射された光の前記情報コード部を有する領域の反射輝度と、情報コード部を有しない領域における反射輝度とからなるコントラストに対し、小さい値の閾値１と大きい値の閾値２の２つの閾値を事前に用意する工程と、
前記第１波長帯の光の前記コントラストが、前記閾値１以上であり、且つ前記閾値２未満であることを確認する工程と、
前記第２波長帯の光の前記コントラストが、前記閾値２以上であり、且つ前記赤外線反射層を有する領域と有しない領域とで、前記コントラストが異なることを確認する工程と、前記情報コード部における情報を読取る工程と、を有することを特徴とする偽造防止媒体の読取方法。
【請求項８】
前記情報を読取る工程が、前記第２波長帯を少なくとも有する光によって、行われることを特徴とする請求項７に記載の偽造防止媒体の読取方法。
【発明の詳細な説明】
【技術分野】
【０００１】
本発明は、真贋判定が可能な情報コードを有する偽造防止媒体とその読取方法に関するものである。
【背景技術】
【０００２】
チケットや、入場券、商品券、ギフト券などといった証券類では、カラーコピー等により、偽造券を製造する例があるため、これを防止する方法として、ホログラムや回折格子からなる転写箔やシールを証券類などに貼付するとった対策が検討されてきた。
【０００３】
しかし、このような方法は、人が目視によって判定することを想定してなされており、判定者が、ホログラムや回折格子からなる偽造防止アイテムを熟知していない場合には、品質は劣るが、一見すると真正品の絵柄に似ている偽造品に対しても、真正品であると誤認する場合があった。
【０００４】
一方で、商品券や、宝くじ、定期券などの証券類やカタログ類などに記載されている情報を機械的に読取ることもあり、このような読取りの手段としては、バーコードや、ＱＲコード（登録商標）に代表されるような２次元コード、更にはＯＣＲ文字等の機械読取り可能なコードマークが設けられていることが多い。
【０００５】
このような機械読取り可能なコードは、一般的には、単に基材面上にカーボンブラックを含むインキ等を用いて形成されている事が多く、コードが書き込まれている部分での偽造防止対策は、施されていなかった。
【０００６】
そこで、コピー機などによる偽造を防止する方法として、例えば特許文献１では、可視光領域に吸収がなく、目視で視認できないが、赤外線領域に吸収を有するインキが提案されている。
【０００７】
また、特許文献２のように、特定の条件を充たした場合にのみ、情報コードが読取れるものなども提案されてきている。
【０００８】
しかし、これらはいずれも読取りに用いる光の波長帯域が判れば、簡単に情報の読み取りができてしまい、偽造技術の発達してきている現状では、積極的に偽造をしようとする悪意ある第三者に対して、必ずしも有効な手段とは言えなくなってきた。
【先行技術文献】
【特許文献】
【０００９】
【特許文献１】特開２０００−３０９７３６号公報
【特許文献２】特許第５９２００４８号公報
【発明の概要】
【発明が解決しようとする課題】
【００１０】
本発明は、このような状況に鑑み、比較的安価で、簡便な手法を用いながら、機械読取り用の情報コードに対し、安全な偽造防止機能を付与しようとするものである。
【課題を解決するための手段】
【００１１】
本発明はこれらの課題を解決すべくなされたものである。
すなわち、請求項１に記載の発明は、基材上に情報コードを有する偽造防止媒体であって
、
前記基材が少なくとも、遮光層と、白色インキ層と、前記遮光層と白色インキ層との層間に、パターン状の赤外線反射層と、を有し、前記白色インキ層上に、情報コード部と、隠蔽層と、が設けられていることを特徴とする偽造防止媒体である。
【００１２】
請求項２に記載の発明は、前記遮光層と、前記情報コード部とが、赤外線を吸収する色素を含むことを特徴とする請求項１に記載の偽造防止媒体である。
【００１３】
請求項３に記載の発明は、前記隠蔽層が、少なくとも赤外線透過性を有することを特徴とする請求項１または請求項２に記載の偽造防止媒体である。
【００１４】
請求項４に記載の発明は、前記白色インキ層が、少なくとも赤外線領域において、半透明性を有することを特徴とする請求項１から請求項３のいずれかに記載の偽造防止媒体である。
【００１５】
請求項５に記載の発明は、少なくとも前記遮光層に含まれる前記色素がカーボンブラックを含むことを特徴とする請求項２から請求項４のいずれかに記載の偽造防止媒体である。
【００１６】
請求項６に記載の発明は、前記白色インキ層が、酸化チタンを含むことを特徴とする請求項１から請求項５のいずれかに記載の偽造防止媒体である。
【００１７】
請求項７に記載の発明は、基材が少なくとも、遮光層と、白色インキ層と、前記遮光層と白色インキ層との層間に、パターン状の赤外線反射層と、を有し、前記白色インキ層上に、情報コード部と、隠蔽層と、が設けられてなる偽造防止媒体の読取方法であって、前記偽造防止媒体に対し、第１波長帯の光を照射する工程と、前記第１波長帯と異なり、且つ赤外線領域である第２波長帯の光を前記偽造防止媒体に対し照射する工程と、前記第１波長帯の光の反射輝度と、前記第２の波長帯の光の反射輝度と、をそれぞれ測定する工程と、前記偽造防止媒体に照射された光の前記情報コード部を有する領域の反射輝度と、情報コード部を有しない領域における反射輝度とからなるコントラストに対し、小さい値の閾値１と大きい値の閾値２の２つの閾値を事前に用意する工程と、前記第１波長帯の光の前記コントラストが、前記閾値１以上であり、且つ前記閾値２未満であることを確認する工程と、前記第２波長帯の光の前記コントラストが、前記閾値２以上であり、且つ前記赤外線反射層を有する領域と有しない領域とで、前記コントラストが異なることを確認する工程と、前記情報コード部における情報を読取る工程と、を有することを特徴とする偽造防止媒体の読取方法である。
【００１８】
請求項８に記載の発明は、前記情報を読取る工程が、前記第２波長帯を少なくとも有する光によって、行われることを特徴とする請求項７に記載の偽造防止媒体の読取方法である。
【発明の効果】
【００１９】
本発明によれば、比較的安価な材料と、簡便な手法を用いながら、極めて偽造防止効果の高い、情報コードを有する偽造防止媒体を提供することができる。
【図面の簡単な説明】
【００２０】
【図１】本発明の実施形態に係る偽造防止媒体の構成例を示す断面図である。
【図２】本発明の読取手法を説明するための模式図である。
【図３】本発明の実施形態に係る偽造防止媒体の読取方法の例を示すフロー図である。
【発明を実施するための形態】
【００２１】
以下、本発明の実施形態について図面を参照しつつ説明する。なお、各図において、同様または類似した機能を発揮する構成要素には同一の参照符号を付し、重複する説明は省略する。
【００２２】
また、各図面は本発明の実施形態の１例を示すもので、これらに限定されるものではない。
【００２３】
（偽造防止媒体）
図１は、本発明の実施形態に係る偽造防止媒体１の構成例を示す断面図である。図１では、基材１１上に、遮蔽層１２が設けられ、その上に、パターン状に赤外線反射層１３が設けられており、次いで白色インキ層１４が設けられており、この白色インキ層１４上に、情報コード部１５と隠蔽層１６が形成されている。
【００２４】
基材１１は、各種基材を任意に選定することが可能であるが、例えば、紙類の他に、ポリ塩化ビニル（ＰＶＣ）、ポリエチレンテレフタレート（ＰＥＴ）、ポリエチレンナフタレート（ＰＥＮ）、ポリカーボネート（ＰＣ）、ポリエチレン（ＰＥ）、ポリプロピレン（ＰＰ）などの樹脂からなるシート類などを単独あるいは積層した複合材などとして用いることができる。
【００２５】
また、樹脂からなるシートは、酸化チタンなどの体質顔料を添加したものや、発泡させたものなどが用いられていても何ら問題はない。
【００２６】
このような基材の厚みは特に限定されるものではないが、５０μｍ〜３００μｍ程度のものが好適に用いることができる。
【００２７】
遮蔽層１２は、赤外線を吸収する層であれば、いずれも用いることができるが、価格面等を考慮すると、カーボンブラックを含む所謂墨インキなどを印刷またはコーティングする方法を好適に用いることができる。
【００２８】
印刷法としては、オフセット印刷法、グラビア印刷法、スクリーン印刷法、フレキソ印刷法など、従来公知の方法をいずれでも用いて、印刷することができる。
【００２９】
また、コーティング法を用いる場合には、グラビアコーティング法、リバースグラビアコーティング法、ロールコーティング法、リップコーティング法、ダイコーティング法、バーコーティング法など従来公知の手法をいずれも用いることができる。
【００３０】
このようにして得られた遮蔽層１２上には、赤外線反射層１３がパターン状に設けられている。
【００３１】
赤外線反射層１３は、赤外線を反射する機能を有するものであれば、いずれも用いることができるが、例えば赤外線反射性の顔料として、酸化チタンやパール顔料などの他に、銅、クロム、鉄、コバルト、アンチモン、アルミニウム、亜鉛、ニッケル、マンガンなどといった金属類の酸化物あるいは複合酸化物などを例示することができ、これらの顔料を単独あるいは混合物として用いることができる。
【００３２】
これらの顔料は、平均粒子径として０．１μｍ〜２０μｍ程度のものが好ましく用いられ、より好ましくは、０．１μｍ〜４μｍ程度とすることができる。
【００３３】
赤外線反射層１３は、上述の様な顔料をバインダー樹脂中に添加して印刷インキとして
形成することができる。
【００３４】
赤外線反射性の顔料の添加量としては、パインダー樹脂の固形分に対して、質量比率で５％〜２０％程度とすることができる。より好ましくは、１０％〜２０％程度であることが望ましい。
【００３５】
バインダー樹脂としては、印刷インキに用いられる材料であれば、従来公知の材料をいずれも用いることができ、熱可塑性樹脂、熱硬化性樹脂、放射線硬化樹脂などの各種樹脂をいずれも用いることができる。
【００３６】
熱可塑性樹脂としては、例えば、アクリル系樹脂、ポリエステル系樹脂、ウレタン系樹脂、塩化ビニル系樹脂、などを例示することができるが、これらに限定されるものではない。
【００３７】
熱硬化樹脂としては、例えば、アクリルポリオール樹脂や、ポリエステルポリール樹脂、あるいは水酸基を有する塩化ビニル−酢酸ビニル共重合体などの樹脂類とイソシアネート類からなるウレタン系樹脂や、エポキシ系樹脂、メラミン系樹脂、フェノール系樹脂、さらには酸化重合型の樹脂類などを例示することができるが、これらに限定されるものではない。
【００３８】
放射線硬化型の樹脂としては、例えば、アクリル系モノマーやアクリル系オリゴマー、アクリル系ポリマーなどに代表されるエチレン基を有する各種樹脂類を例示することができるが、これらに紫外線開始剤等が添加されてあっても良い。また、エポキシ樹脂類のようなカチオン重合型の樹脂が用いられてあっても何ら問題ない。
【００３９】
この様にして得られた印刷インキは、先に述べたような従来公知の印刷方式であればいずれを用いて印刷されても良く、ストライプ状や格子状、あるいは任意の絵柄状に形成することができる。
【００４０】
赤外線反射層１３の膜厚としては、４μｍ〜１２μｍ程度であることが望ましい。
【００４１】
また、赤外線反射性の顔料として、鱗片状のアルミニウム箔などからなる鏡面インキなどが用いられてあっても何ら問題ない。
【００４２】
次に、白色インキ層１４は、少なくとも赤外線領域の光に対して、半透明性を有していることが望ましく、即ち赤外線を反射する機能と一部透過する機能とを有することが重要である。
【００４３】
この様な機能を有する白色インキとしては、例えば、酸化チタンを含む所謂白インキなどを好適に用いることができる。
【００４４】
この様な白色インキ層１４の膜厚としては、８μｍ〜２０μｍ程度とすることができる。
【００４５】
白色インキ層１４の上には、情報コード部１５が形成されている。情報コードは、バーコードやＱＲコード（登録商標）などに代表される二次元コード、ＯＣＲ文字など読取りが可能なコード類であれば、いずれも用いることができる。
【００４６】
この様な情報コード部１５は、赤外線を吸収する材料を含むインキによって形成されており、赤外線を吸収する材料は、従来公知の材料であればいずれも用いることができるが
、例えば、カーボンブラック、錫ドープ酸化インジウムといった材料の他に、フタロシアニン化合物やナフタロシアニン化合物、ジチオール金属錯体、ナフトキノン化合物、ジインモニウム化合物などの各種材料を例示することができる。
【００４７】
上述のような赤外線を吸収する材料を含むインキを用いて情報コード部１５を形成する方法としては、先に述べた各種印刷方式の他に、熱転写方式やインクジェット方式、静電方式といったオンデマンド印刷方式などを例示することができる。
【００４８】
情報コード部１５は、個別情報などを設ける場合、オンデマンド印刷方式を用いて印字されることが望ましい。
【００４９】
隠蔽層１６は、可視光領域において有色であり、赤外線領域において、透過性を有する層を少なくとも有することが望ましく、情報コード部１５を目視で確認することを困難にするものである。
【００５０】
従って、可視光領域において、黒色を呈していながら、赤外線領域において透過性を有する材料を含んでいることが望ましいと言える。
【００５１】
この様な材料としては、例えば、通常のシアン、マゼンタ、イエローからなるプロセスインキを混合した所謂混色墨インキや、アゾ系顔料、ペリレン系顔料、オキソノール化合物、硫化ビスマスなどといった材料を例示することができるが、必ずしもこれらに限定されるものではない。
【００５２】
上述のような赤外線透過性の材料を含む隠蔽層１６の厚さとしては、１μｍ〜６μｍ程度が好ましく、更に好ましくは２μｍ〜４μｍ程度が好適であると言える。
【００５３】
（偽造防止媒体の読取方法）
図２は、偽造防止媒体１に対して、横軸を照射光の波長とし、縦軸を反射率とした場合の、情報コード部の反射率推移２１と、情報コード部を有しない領域（以下、下地領域と記すこととする）における赤外線反射層を有する領域の反射率推移２２と、下地領域における赤外線反射層を有しない領域の反射率推移２３を模式的に例示した図である。
【００５４】
図２では、第１波長帯の光２４は、可視光領域と赤外線領域との境界付近の波長域にあり、可視光領域では黒色を呈し、赤外線領域で透過性を有する隠蔽層１６の影響により、反射率が徐々に増加していく反射率曲線の立ち上がり部分に相当する波長域の光である。
【００５５】
これに対し、第２波長帯の光２５は、第１波長帯とは異なる波長で、赤外線領域の波長帯となっている。
【００５６】
本発明の偽造防止媒体の読取方法は、第１波長帯と第２波長帯という二つの波長帯の光を用いると同時に、情報コード部１５と下地領域との反射輝度のコントラスト、更には下地領域における赤外線反射層１３の有無によるコントラストの差を利用することにより、偽造防止媒体が真正品であるのか、偽造品であるのかの判定を実施し、情報コードの読取を実施するものである。
【００５７】
図２には、これらのコントラスト（３３、３４）と、判定基準となる閾値１（３１）と閾値２（３２）についても図示している。
【００５８】
図３は、本発明の偽造防止媒体の読取方法の一例を示すフロー図である。まず、情報コード部１５の反射輝度と、第１波長帯の光２４ならびに第２波長帯の光２５における下地領域の赤外線反射層１３を有する領域と有しない領域との反射輝度と、から算出されるコントラストに対して、閾値１（３１）ならびに閾値２（３２）が設定される。
【００５９】
この閾値１（３１）ならびに閾値２（３２）は、偽造防止媒体１に用いられる各種材料などに応じて、適宜事前に設定（１００）される。
【００６０】
次いで、偽造防止体１に対し、第１波長帯の光２４と第２波長帯の光２５を照射（１０１）し、偽造防止体１からの第１波長帯の光２４と第２波長帯の光２５における反射輝度の測定（１０２）を行う。
【００６１】
ここで、光の照射（１０１）においては、第１波長帯の光２４と第２波長帯の光２５の双方を含む単一の光源が用いられても何ら問題はないが、第１波長帯の光２４用の光源と、第２波長帯の光２５用の光源とが、別々に用いられていても良い。
【００６２】
上記２種類の波長帯に対する光源を別々に設ける場合には、それぞれの波長帯に対応したＬＥＤ光源などを好適に用いることができる。
【００６３】
また、偽造防止体１からの第１波長帯の光２４と第２波長帯の光２５の反射強度の測定については、各波長帯に対応したバンドパスフィルタなどを介して、撮像管などによって測定する方法が好ましく用いられるが、必ずしもこれに限定するものではない。
【００６４】
撮像管などを用いて各波長帯の反射強度を測定する場合には、それぞれの波長帯に対応した撮像管を別々に設置しても良い。この場合には、第１波長帯の光２４と第２波長帯の光２５と、を同時に偽造防止媒体１に照射して、反射輝度の測定もそれぞれを同時に測定することが可能となる。
【００６５】
但し、この方法では、複数の撮像管を必要とすることから、コスト面を考慮して、１台の撮像管に対し、バンドパスフィルタなどを交換可能に設ける方法が採られても良い。
【００６６】
この場合には、第１波長帯の光２４と第２波長帯の光２５とを別々に照射し、照射中の光の波長帯に応じて、バンドパスフィルタなどを切り替える方法が採られてあっても何ら問題ない。
【００６７】
上述のようにして得られた各波長帯における偽造防止媒体１の反射輝度に基づき、情報コード部１５の反射輝度と、第１波長帯の光２４ならびに第２波長帯の光２５における下地領域の赤外線反射層１３を有する領域と有しない領域との反射輝度と、からそれぞれのコントラストを算出（１０３）する。
【００６８】
ここで、コントラストは、Ｍｉｃｈｅｌｓｏｎコントラストなどが用いられても良いが、暗部（情報コード部）に対する明部（下地領域）の反射輝度の比を好適に用いることができる。
【００６９】
得られたコントラストの値を用いて、まず第１波長帯の特性確認（１０６）として、第１波長帯における下地領域のコントラストが閾値２（３２）未満の値であるかどうかを確認（１０４）し、また閾値１（３１）以上の値であるかどうかを確認（１０５）する。
【００７０】
この時、いずれかの条件を充たしていなければ、対象となる偽造防止媒体１は、偽造品であると判定（１１０）され、情報コードの読取は実施されない。
【００７１】
上述の２つの条件を充たしている時に、次のステップである第２波長帯の特性確認（１
０９）へと進む。
【００７２】
第２波長帯の特性確認（１０９）では、第２波長帯における下地領域のコントラストが閾値２（３２）以上であるかどうかを確認（１０７）し、また第２波長帯における下地領域の赤外線反射層１３を有する領域と有しない領域とにおいて、コントラスト差があるかどうかを確認（１０８）する。
【００７３】
前記コントラスト差は、有意差有りと見なせる程度の差があるかどうかを確認するもので、特に手法を限定するものではないが、予め閾値３として、判断基準を設けていても何ら問題は無い。
【００７４】
第２波長帯の特性確認（１０９）において、いずれかの条件を充たしていない場合、対象となる偽造防止媒体１は、偽造品であると判定（１１０）され、情報コードの読取は実施されない。
【００７５】
これに対し、上述の第１波長帯の特性確認（１０６）と第２波長帯の特性確認（１０９）のいずれの条件も充たしている場合のみ、対象となる偽造防止媒体１は、真正品であると判定（１１１）され、情報コードの読取（１１２）が実施される。
【００７６】
情報コード部１５の読取りについては、図２に示す通り、高いコントラストが期待できることから、少なくとも第２波長帯の光２５を有する光によって実施することが望ましい。
【００７７】
また、読取は必ずしも、上述のような真正品判定（１１１）が実施された後に、読取用の光の照射並びに情報コードの読取動作を改めて実施する必要はなく、真正品判定（１１１）ために撮像管などによって取り込まれた画像データを基に、情報コードの読取りがなされても何ら問題は無い。
【００７８】
上述のように、本発明の偽造防止媒体、ならびにその読取方法を用いることにより、比較的安価な印刷方式により製造することが可能な偽造防止媒体でありながら、複数の確認を組み合わせて実施し、全ての条件を充たさない限り、真正品とは判定されないことから、極めてセキュリティ性が高く、隠蔽された情報コードを有する偽造防止媒体、ならびにその読取方法を提供することができる。
【符号の説明】
【００７９】
１    …  偽造防止媒体
１１  …  基材
１２  …  遮光層
１３  …  赤外線反射層
１４  …  白色インキ層
１５  …  情報コード部
１６  …  隠蔽層
２１  …  情報コード部の反射率推移
２２  …  赤外線反射層を有する領域の反射率推移
２３  …  赤外線反射層を有しない領域の反射率推移
２４  …  第１波長帯の光
２５  …  第２波長帯の光
３１  …  閾値１
３２  …  閾値２
３３  …  下地領域の赤外線反射層を有する領域のコントラスト
３４  …  下地領域の赤外線反射層を有しない領域のコントラスト
１００…  閾値１、閾値２の事前設定
１０１…  偽造防止媒体に第１波長帯及び第２波長帯の光を照射
１０２…  偽造防止媒体からの第１波長帯及び第２波長帯の反射輝度を測定
１０３…  情報コード部有無領域でのコントラストを算出
１０４…  第１波長帯でのコントラストが閾値１以上であることを確認
１０５…  第１波長帯でのコントラストが閾値２未満であることを確認
１０６…  第１波長帯の特性確認
１０７…  第２波長帯でのコントラストが閾値２以上であることを確認
１０８…  第２波長帯における赤外線反射有無領域で差があることを確認
１０９…  第２波長帯の特性確認
１１０…  偽造品判定
１１１…  真正品判定
１１２…  情報コード読取り
【図１】
2018126901.tif 000003
【図２】
2018126901.tif 000004
【図３】
2018126901.tif 000005